【手続補正書】
【提出日】平成15年12月4日(2003.12.4)
【手続補正１】
【補正対象書類名】明細書
【補正対象項目名】発明の名称
【補正方法】変更
【補正の内容】
【発明の名称】情報処理装置及び情報処理方法


【手続補正２】
【補正対象書類名】明細書
【補正対象項目名】特許請求の範囲
【補正方法】変更
【補正の内容】
【特許請求の範囲】
【請求項１】
プリンティングに関する制御プログラムの配信先となるコンピュータを選択する選択手段と、
前記選択手段により選択されたコンピュータから前記制御プログラムの配信要求を受けることなく、前記制御プログラムを自動的に前記選択されたコンピュータに配信する配信手段と、
を備えることを特徴とする情報処理装置。
【請求項２】
前記配信手段は、前記コンピュータに前記制御プログラムの組み込み処理を実行させる命令を転送することを特徴とする請求項１に記載の情報処理装置。
【請求項３】
前記選択手段は、前記プリンティングに関する制御プログラムの配信先となるコンピュータを複数選択し、前記配信手段は、前記選択手段が選択した複数のコンピュータに前記制御プログラムを配信することを特徴とする請求項１又は２に記載の情報処理装置。
【請求項４】
前記複数のコンピュータを表示する表示手段をさらに備え、前記選択手段は、前記表示手段に表示される複数のコンピュータの中から、プリンティングに関する制御プログラムの配信先となるコンピュータを選択することを特徴とする請求項１乃至３のいずれかに記載の情報処理装置。
【請求項５】
外部情報処理装置からプリンティングに関する制御プログラムの配信要求を取得する取得手段と、
前記取得した配信要求に応答して、自動的に前記制御プログラムをインストールする処理を実行するプログラムを起動する起動制御手段と、
を備えることを特徴とする情報処理装置。
【請求項６】
プリンティングに関する制御プログラムの配信先となるコンピュータを選択する選択工程と、
前記選択工程にて選択されたコンピュータから前記制御プログラムの配信要求を受けることなく、前記制御プログラムを自動的に前記選択されたコンピュータに配信する配信工程と、
を備えることを特徴とする情報処理方法。
【請求項７】
前記配信工程は、前記コンピュータに前記制御プログラムの組み込み処理を実行させる命令を転送することを特徴とする請求項６に記載の情報処理方法。
【請求項８】
前記選択工程は、前記プリンティングに関する制御プログラムの配信先となるコンピュータを複数選択し、前記配信工程は、前記選択工程で選択した複数のコンピュータに前記制御プログラムを配信することを特徴とする請求項６又は７に記載の情報処理方法。
【請求項９】
前記選択工程は、前記複数のコンピュータを表示する表示手段に表示される複数のコンピュータの中から、プリンティングに関する制御プログラムの配信先となるコンピュータを選択することを特徴とする請求項６乃至８のいずれかに記載の情報処理方法。
【請求項１０】
外部情報処理装置からプリンティングに関する制御プログラムの配信要求を取得する取得工程と、
前記取得した配信要求に応答して、自動的に、前記制御プログラムをインストールする処理を実行するプログラムを起動する起動制御工程と、
を備えることを特徴とする情報処理方法。
【手続補正３】
【補正対象書類名】明細書
【補正対象項目名】０００１
【補正方法】変更
【補正の内容】
【０００１】
本発明は、情報処理装置及び情報処理方法に関する。


【手続補正４】
【補正対象書類名】明細書
【補正対象項目名】０００５
【補正方法】変更
【補正の内容】
【０００５】
本発明は、この点に鑑みてなされたもので、ネットワークに接続される各サーバに自動的にプリンティングに関するユーザソフトウエアを配信することができると共に自動的にインストールを行うことができる情報処理装置及び情報処理方法を提供することを目的とする。


【手続補正５】
【補正対象書類名】明細書
【補正対象項目名】０００６
【補正方法】変更
【補正の内容】
【０００６】
【課題を解決するための手段】
上記目的を達成するために、請求項１の情報処理装置は、プリンティングに関する制御プログラムの配信先となるコンピュータを選択する選択手段と、前記選択手段により選択されたコンピュータから前記制御プログラムの配信要求を受けることなく、前記制御プログラムを自動的に前記選択されたコンピュータに配信する配信手段とを備えることを特徴とする。


【手続補正６】
【補正対象書類名】明細書
【補正対象項目名】０００７
【補正方法】変更
【補正の内容】
【０００７】
請求項２の情報処理装置は、上記請求項１に記載の情報処理装置において、前記配信手段は、前記コンピュータに前記制御プログラムの組み込み処理を実行させる命令を転送することを特徴とする。


【手続補正７】
【補正対象書類名】明細書
【補正対象項目名】０００８
【補正方法】変更
【補正の内容】
【０００８】
請求項３の情報処理装置は、上記請求項１又は２に記載の情報処理装置において、前記選択手段は、前記プリンティングに関する制御プログラムの配信先となるコンピュータを複数選択し、前記配信手段は、前記選択手段が選択した複数のコンピュータに前記制御プログラムを配信することを特徴とする。


【手続補正８】
【補正対象書類名】明細書
【補正対象項目名】０００９
【補正方法】変更
【補正の内容】
【０００９】
請求項４の情報処理装置は、上記請求項１乃至３のいずれかに記載の情報処理装置において、前記複数のコンピュータを表示する表示手段をさらに備え、前記選択手段は、前記表示手段に表示される複数のコンピュータの中から、プリンティングに関する制御プログラムの配信先となるコンピュータを選択することを特徴とする。
上記目的を達成するために、請求項５の情報処理装置は、外部情報処理装置からプリンティングに関する制御プログラムの配信要求を取得する取得手段と、前記取得した配信要求に応答して、自動的に前記制御プログラムをインストールする処理を実行するプログラムを起動する起動制御手段とを備えることを特徴とする。
【手続補正９】
【補正対象書類名】明細書
【補正対象項目名】００１０
【補正方法】変更
【補正の内容】
【００１０】
上記目的を達成するために、請求項６の情報処理方法は、プリンティングに関する制御プログラムの配信先となるコンピュータを選択する選択工程と、前記選択工程にて選択されたコンピュータから前記制御プログラムの配信要求を受けることなく、前記制御プログラムを自動的に前記選択されたコンピュータに配信する配信工程とを備えることを特徴とする。


【手続補正１０】
【補正対象書類名】明細書
【補正対象項目名】００１１
【補正方法】変更
【補正の内容】
【００１１】
請求項７の情報処理方法は、上記請求項６に記載の情報処理方法において、前記配信工程は、前記コンピュータに前記制御プログラムの組み込み処理を実行させる命令を転送することを特徴とする。


【手続補正１１】
【補正対象書類名】明細書
【補正対象項目名】００１２
【補正方法】変更
【補正の内容】
【００１２】
請求項８の情報処理方法は、請求項６又は７に記載の情報処理方法において、前記選択工程は、前記プリンティングに関する制御プログラムの配信先となるコンピュータを複数選択し、前記配信工程は、前記選択工程で選択した複数のコンピュータに前記制御プログラムを配信することを特徴とする。


【手続補正１２】
【補正対象書類名】明細書
【補正対象項目名】００１３
【補正方法】変更
【補正の内容】
【００１３】
請求項９の情報処理方法は、請求項６乃至８のいずれかに記載の情報処理方法において、前記選択工程は、前記複数のコンピュータを表示する表示手段に表示される複数のコンピュータの中から、プリンティングに関する制御プログラムの配信先となるコンピュータを選択することを特徴とする。
上記目的を達成するために、請求項１０の情報処理方法は、外部情報処理装置からプリンティングに関する制御プログラムの配信要求を取得する取得工程と、前記取得した配信要求に応答して、自動的に、前記制御プログラムをインストールする処理を実行するプログラムを起動する起動制御工程とを備えることを特徴とする。
【手続補正１３】
【補正対象書類名】明細書
【補正対象項目名】００１６
【補正方法】変更
【補正の内容】
【００１６】
図１は、本実施の形態に係る情報処理装置の構成を示すブロック図である。
同図において、プリント管理サーバ１００（情報処理装置）は、本装置１００全体を制御するＣＰＵ１０１を有し、このＣＰＵ１０１のバス１００ａには少なくとも、ＲＯＭ１０２、ＲＡＭ１０３、ネットワーク制御部１０４、キーボード等の入力部１０５、フロッピー（登録商標）ディスク等のデータ入力部１０５ａ及びディスプレイ等の表示部１０６が接続されている。


【手続補正１４】
【補正対象書類名】明細書
【補正対象項目名】００１８
【補正方法】変更
【補正の内容】
【００１８】
ＲＯＭ１０２には、例えば後述するフローチャートに示すようなＣＰＵ１０１の制御プログラムが格納されている。ＣＰＵ１０１は、ＲＯＭ１０２に格納されている制御プログラムに従って本プリント管理サーバ全体を制御するものである。ネットワーク管理者は、表示部１０６に表示されるメッセージに従って入力部１０５を操作することにより、プリンタドライバやスプーラなどのプリンティングに関するユーザソフトウエア（プリンティングに関する制御プログラム）をデータ入力部１０５ａからＲＡＭ１０３に取り込むことができる。


【手続補正１５】
【補正対象書類名】明細書
【補正対象項目名】００４４
【補正方法】変更
【補正の内容】
【００４４】
【発明の効果】
以上説明したように、請求項１の情報処理装置又は請求項６の情報処理方法によれば、プリンティングに関する制御プログラムの配信先となるコンピュータを選択し、選択されたコンピュータから制御プログラムの配信要求を受けることなく、制御プログラムを自動的に選択されたコンピュータに配信するので、ネットワーク管理者はプリンティングに関する情報をプリント管理サーバに格納するという処理を行うだけで、そのプリンティングに関する情報を自動的にサーバへ配信することができるという効果が得られる。


【手続補正１６】
【補正対象書類名】明細書
【補正対象項目名】００４５
【補正方法】変更
【補正の内容】
【００４５】
請求項２の情報処理装置又は請求項７の情報処理方法によれば、コンピュータに制御プログラムの組み込み処理を実行させる命令を転送するので、プリンティングに関する情報を自動的にサーバへインストールすることができる。
【手続補正１７】
【補正対象書類名】明細書
【補正対象項目名】００４６
【補正方法】変更
【補正の内容】
【００４６】
請求項３の情報処理装置又は請求項８の情報処理方法によれば、プリンティングに関する制御プログラムの配信先となるコンピュータを複数選択し、選択した複数のコンピュータに制御プログラムを配信するので、ネットワーク管理者はプリンティングに関する情報をプリント管理サーバに格納するという処理を行うだけで、そのプリンティングに関する情報を自動的に複数のサーバへ配信することができるという効果が得られる。


【手続補正１８】
【補正対象書類名】明細書
【補正対象項目名】００４７
【補正方法】変更
【補正の内容】
【００４７】
請求項４の情報処理装置又は請求項９の情報処理方法によれば、表示手段に表示される複数のコンピュータの中から、プリンティングに関する制御プログラムの配信先となるコンピュータを選択するので、ネットワーク管理者はプリンティングに関する情報をプリント管理サーバに格納するという処理を行うだけで、そのプリンティングに関する情報を自動的にサーバへ配信することができるという効果が得られる。
請求項５の情報処理装置又は請求項１０の情報処理方法によれば、外部情報処理装置からプリンティングに関する制御プログラムの配信要求を取得し、取得した配信要求に応答して、自動的に、制御プログラムをインストールする処理を実行するプログラムを起動するので、ネットワーク管理者はプリンティングに関する情報をプリント管理サーバに格納するという処理を行うだけで、そのプリンティングに関する情報を自動的に複数のサーバへ配信することができると共に、そのプリンティングに関する情報を自動的にサーバへインストールすることができる。